(57)【特許請求の範囲】
【請求項１】
外気を吸入する外気ダクト接続口と、外気を室内へ供給する給気ダクト接続口と、室内の空気を屋外へ戻す還気ダクト接続口と、室内空気を屋外へ排気する排気ダクト接続口とが外面に備えられ、内部に回転式の顕熱交換器ユニット、回転式のデシカント型加湿器ユニット及び回転式のデシカント型除湿器ユニットが備えられ、内部が給気風路と排気風路の２つの風路に分割され、前記回転式の顕熱交換器ユニット、前記回転式のデシカント型加湿器ユニット及び前記回転式のデシカント型除湿器ユニットの夫々が直線状に並べられ、仕切板により２分割されていることで前記給気風路と前記排気風路が形成された直方体の床置型熱交換式換気扇において、該給気風路の出口側の近傍に給気送風機が、該排気風路の出口側近傍に排気送風機が設けられ、かつ、該顕熱交換器ユニット、該デシカント型加湿器ユニット及び該デシカント型除湿器ユニットの夫々を二分割してなる該給気風路と該排気風路の一部の夫々の両端が、該外気ダクト接続口及び該給気ダクト接続口、該還気ダクト接続口及び該排気ダクト接続口に連通する４つの風路が該給気風路及び該排気風路の一部となるように設けられており、該外気ダクト接続口、該給気ダクト接続口、該還気ダクト接続口及び該排気ダクト接続口が該床置型熱交換式換気扇の外面の同一面に設けられていることを特徴とする床置型熱交換式換気扇。
【請求項２】
前記床置型熱交換式換気扇の内部にあって前記外気ダクト接続口、前記給気ダクト接続口、前記還気ダクト接続口及び前記排気ダクト接続口が設けられている外面の一面に隣接する部分に該外気ダクト接続口と該還気ダクト接続口を覆うエアーフィルターが該外面の一面の外周側面を構成する面の内の一面の一方向より着脱自在に取付けられていることを特徴とする請求項１記載の床置型熱交換式換気扇。
【請求項３】
前記エアーフィルターには誤挿入防止手段が備えられていることを特徴とする請求項２記載の床置型熱交換式換気扇。
【請求項４】
前記外気ダクト接続口と、前記給気ダクト接続口と、前記還気ダクト接続口と、前記排気ダクト接続口とが外面に備えられ、内部に前記給気送風機及び前記排気送風機が設けられた送風機部と、前記顕熱交換器ユニット、前記デシカント型加湿器ユニット及びデシカント型除湿器ユニットが備えられた調湿器部とに分割できることを特徴とする請求項１乃至請求項３記載の床置型熱交換式換気扇。
【請求項５】
前記デシカント型加湿器ユニット及び前記デシカント型除湿器ユニットのそれぞれに直交する前記給気風路及び前記排気風路内における空気が流れる方向の上流側近傍には再生器が備えられ、前記顕熱交換器ユニット、該デシカント型加湿器ユニット及び該デシカント型除湿器ユニットが備えられた調湿器部の下部には再生器の加熱源となる熱源機が備えられていることを特徴とする請求項１乃至請求項３記載の床置型熱交換式換気扇。
【請求項６】
前記外気ダクト接続口と、前記給気ダクト接続口と、前記還気ダクト接続口と、前記排気ダクト接続口とが外面に備えられ、内部に前記給気送風機及び前記排気送風機が設けられた送風機部と、前記顕熱交換器ユニット、前記デシカント型加湿器ユニット及びデシカント型除湿器ユニットが備えられた調湿器部と、熱源機が備えられた熱源部とに分割できることを特徴とする請求項５記載の床置型熱交換式換気扇。
【発明の詳細な説明】
【技術分野】
【０００１】
本発明は、外気を給気し室内空気を排気する際に外気と室内空気の間で熱交換する室内空気の温度変化が少ない換気装置であって、屋外と室内を４本のダクトで結ぶ床置型熱交換式換気扇に関する。
【背景技術】
【０００２】
従来、具体例としては、特許文献１乃至特許文献２、及び非特許文献１に記載されたものがある。従来の特許文献１に記載されているものはデシカント型空調機であり、特許文献２に記載されたものは全熱交換器又は顕熱交換器の組み込まれた熱交換気ユニットであり、非特許文献１は全熱交換器の組み込まれた熱交換気ユニットである。
【先行技術文献】
【特許文献】
【０００３】
【特許文献１】特開平８−１４６００号公報
【特許文献２】特開平１０−２６７３４２号公報
【非特許文献】
【０００４】
【非特許文献１】パナソニック  エコシステムズ株式会社  品番ＦＹ−Ｍ２ＫＺＦ７Ｕ仕様書
【発明の概要】
【発明が解決しようとする課題】
【０００５】
従来の特許文献２に示すものは天吊りタイプであり、非特許文献１に示すものは床置きタイプであり、特許文献１に示すものはどちらのタイプであるかは不明であるが、屋外からの給気及び屋外への排気、室内への給気及び室内からの還気をダクトで接続する４つのダクト接続口については、各々の外装の２面に設けられている。そのダクト接続口の設けられた外装の２面は対向又は直交する構成となるので、ダクト接続口にダクトを接続するための空間を多く必要とするという問題があった。
【０００６】
熱交換式換気扇の内部には屋外からの外気を室内へ給気するための風路と、室内の空気を屋外へ排気するための風路が形成されており、この２つの風路を通過する外気と室内の空気が内部で混じることは換気性能及び熱交換性能を損なうことになるので、外気と室内の空気が混じらないような密閉性能を向上せさせなければならないという問題があった。
【０００７】
前記ダクト接続口を２面に設けた場合には、熱交換器式換気扇の内部に塵埃が侵入することを防止するエアーフィルターもその２面の対応する面の近傍に設ける必要があり、エアーフィルターは取り付け時や取り付け後に清掃等のメンテナンスを行う必要があることから着脱のために空間を多く確保する必要があるという問題があった。
【０００８】
また、デシカント型空調機で用いられるデシカント型除湿器ユニットの除湿性能を再生させるために除湿再生器（加熱器）や、デシカント型加湿器ユニットの加湿性能を再生させるために加湿再生器（加熱器）が必要であり、前記除湿再生器や前記加湿再生器には熱媒体を供給するための加熱源が必要となり、構造が複雑になるという問題があった。
【課題を解決するための手段】
【０００９】
上記の課題を解決するため、本発明では、次の技術的手段を講じている。
【００１０】
第１発明の床置型熱交換式換気扇は、外気を吸入する外気ダクト接続口と、外気を室内へ供給する給気ダクト接続口と、室内の空気を屋外へ戻す還気ダクト接続口と、室内空気を屋外へ排気する排気ダクト接続口とが外面に備えられ、内部に回転式の顕熱交換器ユニット、回転式のデシカント型加湿器ユニット及び回転式のデシカント型除湿器ユニットが備えられ、内部が給気風路と排気風路の２つの風路に分割され、前記回転式の顕熱交換器ユニット、前記回転式のデシカント型加湿器ユニット及び前記回転式のデシカント型除湿器ユニットの夫々が直線状に並べられ、仕切板により２分割されていることで前記給気風路と前記排気風路が形成された略直方体の床置型熱交換式換気扇において、該給気風路の出口側の近傍に給気送風機が、該排気風路の出口側近傍に排気送風機が設けられ、かつ、該顕熱交換器ユニット、該デシカント型加湿器ユニット及び該デシカント型除湿器ユニットの夫々を二分割してなる該給気風路と該排気風路の一部の夫々の両端が、該外気ダクト接続口及び該給気ダクト接続口、該還気ダクト接続口及び該排気ダクト接続口に連通する４つの風路が該給気風路及び該排気風路の一部となるように設けられており、該外気ダクト接続口、該給気ダクト接続口、該還気ダクト接続口及び該排気ダクト接続口が該床置型熱交換式換気扇の外面の同一面に設けられていることを特徴とする。
【００１１】
第２発明の床置型熱交換式換気扇は、請求項１記載の発明において、該床置型熱交換式換気扇の内部にあって前記外気ダクト接続口、前記給気ダクト接続口、前記還気ダクト接続口及び前記排気ダクト接続口が設けられている外面の一面に隣接する部分に該外気ダクト接続口と該還気ダクト接続口を覆うエアーフィルターが該外面の一面の外周側面を構成する面の内の一面の一方向より着脱自在に取付けられていることを特徴とする。
【００１２】
第３発明の床置型熱交換式換気扇は、請求項２記載の発明において、前記エアーフィルターには誤挿入防止手段が備えられていることを特徴とする。
【００１３】
第４発明の床置型熱交換式換気扇は、請求項１乃至請求項３記載の発明において、前記外気ダクト接続口と、前記給気ダクト接続口と、前記還気ダクト接続口と、前記排気ダクト接続口とが外面に備えられ、内部に前記給気送風機及び前記排気送風機が設けられた送風機部と、前記顕熱交換器ユニット、前記デシカント型加湿器ユニット及びデシカント型除湿器ユニットが備えられた調湿器部とに分割できることを特徴とする。
【００１４】
第５発明の床置型熱交換式換気扇は、請求項１乃至請求項３記載の発明において、前記デシカント型加湿器ユニット及び前記デシカント型除湿器ユニットのそれぞれに直交する前記給気風路及び前記排気風路内における空気が流れる方向の上流側近傍には再生器が備えられ、前記顕熱交換器ユニット、該デシカント型加湿器ユニット及び該デシカント型除湿器ユニットが備えられた調湿器部の下部には再生器の加熱源となる熱源機が備えられていることを特徴とする。
【００１５】
第６発明の床置型熱交換式換気扇は、請求項５記載の発明において、前記外気ダクト接続口と、前記給気ダクト接続口と、前記還気ダクト接続口と、前記排気ダクト接続口とが外面に備えられ、内部に前記給気送風機及び前記排気送風機が設けられた送風機部と、前記顕熱交換器ユニット、前記デシカント型加湿器ユニット及びデシカント型除湿器ユニットが備えられた調湿器部と、熱源機が備えられた熱源部とに分割できることを特徴とする。
【発明の効果】
【００１６】
以上のような、技術的手段を有することにより、以下の効果を有する。
【００１７】
第１発明によれば、外気を室内に供給する給気風路の出口側の近傍に給気送風機が設けられ、室内空気を屋外へ排出する排気風路の出口側近傍に排気送風機が設けられていることにより、該給気送風機と該排気送風機を駆動させると、互いに隣接する給気風路と排気風路の内部の空気圧は大部分が負圧となり、換気性能を損なう外気と室内空気が混じりにくい構成となる。それに加え、外気ダクト接続口、給気ダクト接続口、還気ダクト接続口及び排気ダクト接続口が床置型熱交換式換気扇の外面の一面に設けられており、ダクト接続時の空間を多く必要としない。
特に４つのダクト接続口が同一面に設けられたことにより、床置型熱交換式換気扇の内部の給気風路と排気風路が多く（広い範囲で）隣接する構造となるが、（広い範囲で）隣接する構造による外気と室内空気の混ざり合う可能性が増大することを、（前記給気風路と前記排気風路が負圧になることにより）防止することができる。
【００１８】
第２発明によれば、第１発明を利用し、かつエアーフィルターが外面の一面の外周側面を構成する面の内の一面の一方向より着脱自在であることにより、本発明の床置型熱交換式換気扇の周囲に取り付け時や取り付け後の清掃等のメンテナンスのための空間を多く必要としないものになる。
【００１９】
第３発明によれば、第２発明を利用し、かつ前記エアーフィルターに誤挿入防止手段が備えられていることから、該エアーフィルターの取り外し後の再取り付け時に該エアーフィルターの取り付けを間違えることがなく、本発明の床置型熱交換式換気扇の故障や性能の低下を防止することができる。
【００２０】
第４発明によれば、第１発明乃至第３発明を利用し、送風機部と調湿器部とに分割できることにより、機能が似通ったものを集中的に配置できることになり、構成が簡単で修理や製造時における部品の共通化や組み立ても容易となり、かつ構成が簡単なことから、気密性の確保も容易となる。
【００２１】
第５発明によれば、第１発明乃至第３発明を利用し、調湿器部の下部には再生器の加熱源となる熱源機が備えられていることにより、再生器への冷媒や熱媒体等の供給が下部から行うことができ、再生器の組み付け交換も容易となり、かつ上部の調湿器部の気密性の確保も容易となる。
【００２２】
第６発明によれば、第５発明を利用し、加熱源が必要となる場合でも、送風機部、調湿器部、熱源部に分割できることにより、機能が似通ったものを集中的に配置できることになり、構成が簡単で修理や製造時における部品の共通化や組み立ても容易となり、熱源部が一つの区画に集中して配置されていることにより各種の加熱源の変更が容易にでき、さらに構成が簡単なことから、気密性の確保も容易となる。
【図面の簡単な説明】
【００２３】
【図１】本発明に係る床置型熱交換式換気扇の全体構成の概要図である。
【図２】本発明に係る床置型熱交換式換気扇の実施例１の設置状況を説明するための斜視図である。
【図３】本発明に係る床置型熱交換式換気扇の実施例１の内部構造を説明するための斜視図である。
【図４】本発明に係る床置型熱交換式換気扇の実施例１のエアーフィルターの取り付け状況の説明するための斜視図である。
【図５】本発明に係る床置型熱交換式換気扇の実施例１のエアーフィルターの別の取り付け状況を説明するための斜視図である。
【図６】本発明に係る床置型熱交換式換気扇の実施例２の設置状況を説明するための斜視図である。
【図７】本発明に係る床置型熱交換式換気扇の実施例２の内部構造を説明するための斜視図である。
【図８】本発明に係る床置型熱交換式換気扇の実施例２のエアーフィルターの取り付け状況を説明するための斜視図である。
【図９】本発明に係る床置型熱交換式換気扇の実施例２のエアーフィルターの別の取り付け状況を説明するための斜視図である。
【図１０】本発明に係る床置型熱交換式換気扇の実施例３の配置を説明するための斜視図である。
【図１１】本発明に係る床置型熱交換式換気扇の実施例３の主要構成部品の関係を示す模式図である。
【発明を実施するための形態】
【００２４】
発明を実施する形態について、図面に基づいて具体的に説明する。
【実施例１】
【００２５】
(全体的な構成)
本発明の床置型熱交換式換気扇１は略直方体状であり、直方体の外装と、内部に設けられた仕切り板４により二つの風路に分割されており、床置型熱交換式換気扇１の外部に接続された外気ダクト２２、給気ダクト２８、還気ダクト３２、排気ダクト３８を含めて、屋外の外気を室内に供給する給気風路と、室内の空気を屋外へ排出する排気風路が構成されている。この概略を示したものが図１である。
【００２６】
給気風路は家の外壁に設けられた外気口２１と、外気口２１に接続された筒状の外気ダクト２２と、床置型熱交換式換気扇１の外装上に設けられ、外気ダクト２２が接続された外気ダクト接続口２３と、床置型熱交換式換気扇１内部に設けられた給気風路２５と、床置型熱交換式換気扇１の外装上に設けられた給気ダクト接続口２７と、給気ダクト接続口２７に接続された筒状の給気ダクト２８と、室内の壁面又は天井面に設けられ、給気ダクト２８が接続された給気口２９よりなる。
床置型熱交換式換気扇１内部に設けられた給気風路２５においては、外気ダクト接続口２３の近傍には外気中の塵埃を捕集する外気エアーフィルター２４が設けられ、室内方向に向かって、デシカント型除湿器ユニット１２、顕熱交換器ユニット１１、加湿再生器１５、デシカント型加湿器ユニット１３の順に設けられた後、最後に給気ダクト接続口２７の近傍には、給気風路内の空気を移動させる手段となる給気送風機２６が設けられている。
給気送風機２６は給気ダクト２７の近傍に設けられていることにより、給気風路２５の大部分は給気送風機２６の吸い込み側となり、内部を流れる外気は負圧となる。
【００２７】
排気風路は室内の壁面又は天井面に設けられた還気口３１と、還気口３１に接続された筒状の還気ダクト３２と、床置型熱交換式換気扇１の外装上に設けられ、還気ダクト３２が接続された還気ダクト接続口３３と、床置型熱交換式換気扇１内部に設けられた排気風路３５と、床置型熱交換式換気扇１の外装上に設けられた排気ダクト接続口３７と、排気ダクト接続口３７に接続された筒状の排気ダクト３８と、家の外壁に設けられ、排気ダクト３８が接続された排気口３９よりなる。
床置型熱交換式換気扇１内部に設けられた排気風路３５においては、還気ダクト接続口３３の近傍には室内の空気中の塵埃を捕集する還気エアーフィルター３４が設けられ、屋外方向に向かって、デシカント型加湿器ユニット１３、顕熱交換器ユニット１１、除湿再生器１４、デシカント型除湿器ユニット１２の順に設けられた後、最後に排気ダクト接続口３７の近傍には、排気風路内の空気を移動させる手段となる排気送風機３６が設けられている。
排気送風機３６は排気ダクト接続口３７の近傍に設けられていることにより、排気風路３５の大部分は排気送風機３６の吸い込み側となり、内部を流れる室内の空気は負圧となる。そして、前記給気風路２５の大部分も負圧となっているので、給気風路２５と排気風路３５を流れる外気と室内空気の圧力差は少ないものとなり、給気風路２５と排気風路３５で漏れが発生した場合でも外気と室内空気が混じり合い難くなることで床置型熱交換式換気扇１の換気性能や熱交換性能を損なうことが少なくなる。
【００２８】
（顕熱交換器ユニット）
本発明の床置型熱交換式換気扇１の主要機能部品について説明する。顕熱交換器ユニット１１は、扁平な略直方体で最も広い対向する二つの面が空気を通過させる面となる。空気を通過させる部分は形状が扁平な円柱状でモーターにより回転させる構造である。空気を通過させる部分の材質は、空気を通過させる際に空気中の顕熱を蓄熱する又は放出する吸熱部材となっている。空気を通過させる二つの面は中央部分で仕切り板４により二つに仕切られ、仕切られた部分の一方が給気風路２５となり、もう一方が排気風路３５となる。室内が暖房されている場合において、給気通路２５を流れる外気が顕熱交換器ユニット１１を通過することにより排気通路３５を流れる室内の空気の顕熱を外気に移動させることができる。これにより、暖房時においては、室内の暖房効果を損なうことなく室内を換気することができる。冷房時においては逆に、給気通路２５を流れる外気が顕熱交換器ユニット１１を通過することにより、排気通路３５を流れる室内の空気により外気から顕熱を奪うことができるので、冷房効率を損なうことなく室内を換気することができる。
【００２９】
（デシカント型除湿器ユニット）
デシカント型除湿器ユニット１２は扁平な略直方体で、最も広い対向する二つの面が空気を通過させる面となっている。空気を通過させる部分は形状が扁平な円柱状で内部に吸着素子が備えられ、モーターにより回転させる構造となっている。吸着素子は空気中の水分を吸着又は脱着する性質を有している。空気を通過させる二つの面は中央部分で二つに仕切られ、仕切られた部分の一方が給気風路２５となり、もう一方が排気風路３５となる。給気通路２５を通過する外気がデシカント型除湿器ユニット１２を通過すると吸着素子により外気中の水分が吸着され除湿機能を発揮する。空気を通過させる扁平な円柱状の部分をモーターにより回転させることで、水分を吸着した吸着素子は、排気風路３５を通過する室内の空気に水分を脱着する。この際室内の空気のみでは、吸着素子からの水分の放出が不十分であるので、排気風路３５のデシカント型除湿器ユニット１２の上流側に除湿再生器１４が設けられ、排気風路３５を通過する室内の空気を加熱させることにより吸着素子からの水分の脱着を、より効果的に行うものとなっている。
【００３０】
（デシカント型加湿器ユニット）
デシカント型加湿器ユニット１３は扁平な略直方体で、最も広い対向する二つの面が空気を通過させる面となっている。空気を通過させる部分は扁平な円柱状で内部に吸着素子が備えられ、モーターにより回転させる構造となっている。吸着素子は空気中の水分を吸着又は脱着する性質を有している。空気を通過させる二つの面は中央部分で二つに仕切られ、仕切られた部分の一方が給気風路２５となり、もう一方が排気風路３５となる。給気通路２５を通過する外気がデシカント型加湿器ユニット１３を通過すると吸着素子に含まれる水分が外気によって脱着され加湿機能を発揮する。空気を通過させる扁平な円柱状の部分をモーターにより回転させることで水分を脱着した吸着素子は排気風路３５を通過する室内の空気に含まれる水分を吸着する。この際外気による吸着素子からの水分の脱着が不十分となる場合もあるので、給気風路２５のデシカント型加湿器ユニット１３の上流側に加湿再生器１５が設けられ、給気風路２５を通過する外気を加熱させることにより吸着素子からの水分の脱着をより効果的に行うものとなっている。
【００３１】
なお、デシカント型除湿器ユニット１２の除湿機能とデシカント型加湿器ユニット１３の加湿機能は相反する機能であるので、床置型熱交換式換気扇1の作動中においてデシカント型除湿器ユニット１２の除湿機能とデシカント型加湿器ユニット１３の加湿機能は、選択的に一方のみの機能だけを作動させる構成となっている。よって、床置型熱交換式換気扇1においては、顕熱交換器ユニット１１、デシカント型除湿器ユニット１２とデシカント型加湿器ユニット１３の両方を有するものを例示しているが、顕熱交換器ユニット１１とデシカント型除湿器ユニット１２、又は顕熱交換器ユニット１１とデシカント型加湿器ユニット１３の組合せにおいても本発明の実施は可能である。
【００３２】
除湿再生器１４及び加湿再生器１５は、電気発熱体を内蔵する熱交換器、ヒートポンプ式熱交換器、外部の熱源機よりの熱媒体の供給を受ける熱交換器等により通過する空気を加熱する構成となっている。デシカント型除湿器ユニット１２とデシカント型加湿器ユニット１３の両方を有する場合においては、除湿再生器１４と加湿再生器１５をヒートポンプ式熱交換器とし四方弁による切換えで、デシカント型除湿器ユニット１２を作動させる場合は除湿再生器１４側が加熱され、加湿再生器１５側が冷却される構成とし、デシカント型加湿器ユニット１３を作動させる場合は加湿再生器１５が加熱され除湿再生器１４側が冷却される構成とすることもできる。この場合、デシカント型除湿器ユニット１２が作動する場合は、通常室内の冷房を行う場合であるので、加湿再生器１５によりやや冷却された外気が室内側に給気されても問題はなく、かえって冷房効果を高める結果となる。また、デシカント型加湿器ユニット１３を作動させる場合は、室内の暖房を行う場合であるが除湿再生器１４により冷却されるのは顕熱交換器ユニット１１を通過した後の外気に保有する熱を奪われた後の室内空気であり、その後は屋外に排出されるだけであるので問題とはならない。
【００３３】
図２は床置型熱交換式換気扇１の設置状況の説明図であり、床置型熱交換式換気扇１は破線で表した室内の適当な設置場所に置かれ、床置型熱交換式換気扇１の天板６に設けられた外気ダクト接続口２３、給気ダクト接続口２７、還気ダクト接続口３３、排気ダクト接続口３７に、外気ダクト２２、給気ダクト２８、還気ダクト３２、排気ダクト３８が接続されている。外気ダクト２２は屋外と室内を連通する外気口２１と、給気ダクト２８は室内の換気対象の部屋３０の壁を連通する給気口２９と、還気ダクト３２は部屋３０の壁を連通する還気口３１と、排気ダクト３８は室内と屋外を連通する排気口３９とそれぞれ接続されている。外気ダクト２２、給気ダクト２８、還気ダクト３２及び排気ダクト３８は内部の空気が通過する断面積を大きく変化させずに屈曲等が可能な樹脂や金属等の筒であり、給気ダクト２８及び還気ダクト３２については熱交換効率の向上のため、外部を断熱材で覆う構成とするのが通常である。
【００３４】
図３は図１で示した構成の概要を床置型熱交換式換気扇１の内部構造を説明するための斜視図である。図１で説明した部分については同じ番号を付け説明を省くが、外装部分は点線により表しており、天板６に外気ダクト接続口２３、給気ダクト接続口２７、還気ダクト接続口３３及び排気ダクト接続口３７が設けられているため、仕切り板４以外にも仕切り板４A、４Ｂ、４Ｃが設けられ、給気風路２５と排気風路３５が分離できる構造になっている。仕切り板４により、顕熱交換器ユニット１１、デシカント型除湿器ユニット１２及びデシカント型加湿器ユニット１３夫々の空気を通過させる面が２分割されている。この２分割することで、給気風路２５及び排気風路３５が形成されている。仕切り板４Ａは、顕熱交換器ユニット１１、デシカント型除湿器ユニット１２及びデシカント型加湿器ユニット１３の上面側の仕切り板である。仕切り板４Ａにより顕熱交換器ユニット１１とデシカント型除湿器ユニット１２の間の風路と、顕熱交換器ユニット１１とデシカント型加湿器ユニット１３の間の風路が形成されている。仕切り板４Ｂは仕切り板４Ａの上方に設けられていることで、給気風路２５を形成する外気ダクト接続口２３に連通する風路と、給気ダクト接続口２７に連通する風路とが分離され、排気風路３５を形成する還気ダクト接続口３３に連通する風路と排気ダクト接続口３７に連通する風路とが分離されている。仕切り板４Ｃは仕切り板４の上方に連続して繋がるように設けられていることで、上方の給気風路２５と排気風路３５が分離されている。なお、除湿再生器１４と加湿再生器１５については説明の簡略のため図３においては図示していなが、図１と同じ位置関係に設けられる。なお、図中矢印は空気の流れを示す。
【００３５】
図４は実施例１において、一体形のエアーフィルターについて説明するための斜視図である。床置型熱交換式換気扇１の天板６の近傍において、天板６の周囲を囲む４つの側板７乃至１０の内の任意の一つの側板、実施例１においては仮に正面側板７より、外気エアーフィルター２４と還気エアーフィルター３４を一体とし一つの枠に入れたエアーフィルターが一方向で着脱自在に設けられている。
【００３６】
発明３の誤挿入防止手段として、一つの枠により一体となったエアーフィルター外部の枠体の幅寸法Ａと奥行き寸法Ｂが異なるように構成され、床置型熱交換式換気扇１のエアーフィルター取り付け部の空間が、一体となったエアーフィルター外部の枠体の外形に若干のクリアランスを加味した空間として構成してあるので、９０度又は２７０度回転させた状態で挿入することはできないものとなっている。但し、１８０度回転させて挿入することはできるので、もし、外気エアーフィルター２４と還気エアーフィルター３４が異なる機能を有している場合には、幅寸法Ａを奥方向に向かうほど若干小さくする、所謂エアーフィルターの枠体外形を台形とすることにより、１８０度の誤挿入も防止できる。
他にも枠体を非対称の形状とし、取付け空間をそれに合わせることや、枠体が直方体であってもその一部に突起を設け、床置型熱交換式換気扇１のエアーフィルター取り付け部にもその突起と嵌合する窪み部を設ける方法によっても誤挿入防止手段とすることができる。
【００３７】
図５は実施例１において、分割形のエアーフィルターについて説明するための斜視図である。図４の一体形エアーフィルターと同様に任意の側板である正面側板７より分割された外気エアーフィルター２４と還気エアーフィルター３４が共に一方向から着脱自在に設けられている。
【００３８】
発明３の誤挿入防止手段として、外気エアーフィルター２４の枠体の一部に突起部４１を設け、床置型熱交換式換気扇１の外気エアーフィルター２４の取り付け部にもこの突起部４１と嵌合する切り欠き部４２を設けている。同様に還気エアーフィルター３４の枠体の一部に突起部４３を設け、床置型熱交換式換気扇１の還気エアーフィルター３４の取り付け部にもこの突起部４３と嵌合する切り欠き部４４を設けている。これにより外気エアーフィルター２４又は還気エアーフィルターの逆挿入は防止できる。外気エアーフィルター２４と還気エアーフィルター３４が同一の機能の場合は、外気エアーフィルター２４と還気エアーフィルター３４の外形形状を同一のものにすることができる。もし、外気エアーフィルター２４と還気エアーフィルター３４の機能が異なる場合には、外気エアーフィルター２４と還気エアーフィルター３４の外形形状寸法を異なるものとすることや、突起部４１とこれに嵌合する切り欠き部４２、及び突起部４３とこれに嵌合する切り欠き部４４とを異なる形状とすることにより、外気エアーフィルター２４と還気エアーフィルター３４の誤挿入を防止できる。
他にも切り欠き部を設ける方法以外に、枠体の一部に突起を設け、床置型熱交換式換気扇１のエアーフィルター取り付け部にもその突起と嵌合する窪み部を設ける方法によっても誤挿入防止手段とすることができる。
【実施例２】
【００３９】
実施例２について説明する。実施例２の全体的な構成の概要は図１で表されるものと同一であり、図１中の符号１を符号２と読み替えることだけで同一の内容となり、実施例１における図1の説明においても符号１を符号２と読み替えることで同一の説明となるので、説明を省略する。
【００４０】
図６は床置型熱交換式換気扇２の設置状況の説明図であり、床置型熱交換式換気扇２は破線で表した室内の適当な設置場所に置かれ、床置型熱交換式換気扇２の任意の側板である正面側板７ａに設けられた外気ダクト接続口２３、給気ダクト接続口２７、還気ダクト接続口３３、排気ダクト接続口３７に、外気ダクト２２、給気ダクト２８、還気ダクト３２、排気ダクト３８が接続されている。外気ダクト２２は屋外と室内を連通する外気口２１と、給気ダクト２８は室内の換気対象の部屋３０の壁を連通する給気口２９と、還気ダクト３２は部屋３０の壁を連通する還気口３１と、排気ダクト３８は室内と屋外を連通する排気口３９とそれぞれ接続されている。外気ダクト２２、給気ダクト２８、還気ダクト３２及び排気ダクト３８は内部の空気が通過する断面積を大きく変化させずに屈曲等が可能な樹脂や金属等の筒であり、給気ダクト２８及び還気ダクト３２については熱交換効率の向上のため、外部を断熱材で覆うものとなっている。
【００４１】
図７は図１で示した構成の概要を床置型熱交換式換気扇２の内部構造として説明するための斜視図である。図１で説明した部分については同じ番号を付け説明を省くが、外装部分は点線により表しており、正面側板７ａに外気ダクト接続口２３、給気ダクト接続口２７、還気ダクト接続口３３及び排気ダクト接続口３７が設けられているため、仕切り板４以外にも仕切り板４Ａ、５Ａ、５Ｂ、５Ｃが設けられ、給気風路２５と排気風路３５が分離できる構造になっている。仕切り板４により、顕熱交換器ユニット１１、デシカント型除湿器ユニット１２及びデシカント型加湿器ユニット１３夫々の空気を通過させる面は２分割されている。この２分割することで、給気風路２５及び排気風路３５が形成されている。仕切り板４Ａは、顕熱交換器ユニット１１、デシカント型除湿器ユニット１２及びデシカント型加湿器ユニット１３の上面側の仕切り板である。仕切り板４Ａにより顕熱交換器ユニット１１とデシカント型除湿器ユニット１２の間の風路と、顕熱交換器ユニット１１とデシカント型加湿器ユニット１３の間の風路が形成されている。仕切り板５Ａ及び仕切り板５Ｂは仕切り板４Ａの上方に設けられることで、給気風路２５を形成する外気ダクト接続口２３に連通する風路と給気ダクト接続口２７に連通する風路とが分離され、排気風路３５を形成する還気ダクト接続口３３に連通する風路と排気ダクト接続口３７に連通する風路とが分離されている。仕切り板５Ｃは仕切り板４の上方に連続して繋がるように設けられていることで、給気風路２５と排気風路３５が分離されている。なお、除湿再生器１４と加湿再生器１５については説明の簡略のため図７においては図示していないが、図１と同じ位置関係に設けられる。なお、図中矢印は空気の流れを示す。
【００４２】
図８は実施例２において、一体形のエアーフィルターについて説明するための斜視図である。床置型熱交換式換気扇２の正面側板７ａの近傍において、正面側板７ａの周囲を囲む２つの側板及び８乃至９の内の任意の一つの側板、実施例１においては仮に左側板８より、外気エアーフィルター２４と還気エアーフィルター３４を一体とし一つの枠に入れたエアーフィルターが一方向で着脱自在に設けられている。なお、正面側板７ａの周囲を囲む底板方向より着脱することは、床置き設置の制約上特殊な例を除き困難な場合が多いが、天板６ａ方向よりエアーフィルターを挿入することは可能であるので天板６ａ方向としても良い。
【００４３】
発明３の誤挿入防止手段として、一つの枠により一体となったエアーフィルター外部の枠体の幅寸法Ａと奥行き寸法Ｂが異なるように構成され、床置型熱交換式換気扇２のエアーフィルター取り付け部の空間が、一体となったエアーフィルター外部の枠体の外形に若干のクリアランスを加味した空間として構成してあるので、９０度又は２７０度回転させた状態で挿入することはできないものとなっている。但し、１８０度回転させて挿入することはできるので、もし、外気エアーフィルター２４と還気エアーフィルター３４が異なる機能を有している場合には、幅寸法Ａを奥方向に向かうほど若干小さくする、所謂エアーフィルターの枠体外形を台形とすることにより、１８０度の誤挿入も防止できる。
他にも枠体を非対称の形状とし、取付け空間をそれに合わせることや、枠体が直方体であってもその一部に突起を設け、床置型熱交換式換気扇２のエアーフィルター取り付け部にもその突起と嵌合する窪み部を設ける方法によっても誤挿入防止手段とすることができる。
【００４４】
図９は実施例２において、分割形のエアーフィルターについて説明するための斜視図である。図8の一体形エアーフィルターと同様に任意の側板である左側板８より分割された外気エアーフィルター２４と還気エアーフィルター３４が共に一方向から着脱自在に設けられている。
【００４５】
発明３の誤挿入防止手段として、外気エアーフィルター２４の枠体の一部に突起部４１を設け、床置型熱交換式換気扇１の外気エアーフィルター２４の取り付け部にもこの突起部４１と嵌合する切り欠き部４２を設けている。同様に還気エアーフィルター３４の枠体の一部に突起部４３を設け、床置型熱交換式換気扇１の還気エアーフィルター３４の取り付け部にもこの突起部４３と嵌合する切り欠き部４４を設けている。これにより外気エアーフィルター２４又は還気エアーフィルターの逆挿入は防止できる。外気エアーフィルター２４と還気エアーフィルター３４が同一の機能の場合は、外気エアーフィルター２４と還気エアーフィルター３４の外形形状を同一のものにすることができる。もし、外気エアーフィルター２４と還気エアーフィルター３４の機能が異なる場合には、外気エアーフィルター２４と還気エアーフィルター３４の外形形状寸法を異なるものとすることや、突起部４１とこれに嵌合する切り欠き部４２、及び突起部４３とこれに嵌合する切り欠き部４４とを異なる形状とすることにより、外気エアーフィルター２４と還気エアーフィルター３４の誤挿入を防止できる。
他にも切り欠き部を設ける方法以外に、枠体の一部に突起を設け、床置型熱交換式換気扇２のエアーフィルター取り付け部にもその突起と嵌合する窪み部を設ける方法によっても誤挿入防止手段とすることができる。
【実施例３】
【００４６】
実施例３は図１の除湿再生器１４および加湿再生器１５がヒートポンプ式熱交換器である場合の例であり、これを図１０に示す。屋外および屋内の関係は図１と同様であり、図１０においては、外気口２１、外気ダクト２２、給気ダクト２８、給気口２９、還気口３１、還気ダクト３２、排気ダクト３８および排気口３９の図示は省略しているが、図１と同様となる。
【００４７】
実施例３におる床置型熱交換式換気扇３は、デシカント型除湿器ユニット１２とデシカント型加湿器ユニット１３の両方を有しており、除湿再生器１４と加湿再生器１５をヒートポンプ式熱交換器とし、圧縮機５１により冷凍サイクルが形成され、四方弁５２の切換えにより、デシカント型除湿器ユニット１２を作動させる場合は除湿再生器１４側が加熱され、加湿再生器１５側が冷却される構成とし、デシカント型加湿器ユニット１３を作動させる場合は、加湿再生器１５が加熱され除湿再生器１４側が冷却される構成となる。
【００４８】
(全体的な構成)
全体的な構成について図１０を用いて説明する。床置型熱交換式換気扇３は、屋外から室内に向かって屋外空気が給気送風機２６により流される給気風路２５と、室内から屋外に向かって室内空気が排気送風機３６によって流される排気風路３５よりなる。給気風路２５は屋外側から、外気ダクト接続口２３、外気エアーフィルター２４、デシカント型除湿器ユニット１２、顕熱交換器ユニット１１、加湿再生器１５、デシカント型加湿器ユニット１３、給気送風機２６、給気ダクト接続口２７の順に設けられており、排気風路３５は室内側から、還気ダクト接続口３３、還気エアーフィルター３４、デシカント型加湿器ユニット１３、顕熱交換器ユニット１１、除湿再生器１４、デシカント型除湿器ユニット１２、排気送風機３６、排気ダクト接続口３７の順に設けられている。デシカント型除湿器ユニット１２を通過する際に屋外空気の除湿が行われ、顕熱交換器ユニット１１を通過する際に屋外空気と室内空気の熱移動が行われ、デシカント型加湿器ユニット１３を通過する際に屋外空気の加湿が行われる。給気風路２５および排気風路３５はその途中において屋外空気と室内空気とが混ざらないように気密性を保つ構造となっている。デシカント型除湿器ユニット１２およびデシカント型加湿器ユニット１３はその機能上、一方の機能が働く場合は他方の機能は働かない。
【００４９】
排気風路３５のデシカント型除湿器ユニット１２近傍の上流側には除湿再生器１４が設けられ、給気風路２５のデシカント型加湿器ユニット１３近傍の上流側には加湿再生器１５が設けられている。除湿再生器１４および加湿再生器１５は圧縮機５１を冷媒循環手段として冷媒配管６１〜６５により直列に結ばれて冷凍サイクルが形成される。また、冷媒配管６５の途中には膨張弁（絞り装置）５３が設けられ、冷媒配管６１、冷媒配管６２、冷媒配管６３および冷媒配管６４の流路の切換手段として四方弁５２が設けられている。圧縮機５１、四方弁５２、除湿再生器１４、膨張弁５３、加湿再生器１５およびこれらをつなぐ冷媒配管６１〜６５で冷凍サイクルが構成されている。またこれら、圧縮機５１、冷媒配管６１〜６５およびこれに付随する膨張弁５３および四方弁５２は圧縮機５１を除いて大きな部品ではなく、床置型熱交換式換気扇３の筐体に内蔵することも容易である。
【００５０】
給気送風機２６、排気送風機３６、デシカント型除湿器ユニット１２、顕熱交換器ユニット１１、デシカント型加湿器ユニット１３、圧縮機５１、膨張弁５３および四方弁５２の駆動部は電気が供給されることにより駆動し、この駆動の制御は制御基板２０および操作装置（図示せず）によって行われる。
【００５１】
床置型熱交換式換気扇３の主要な構成部品について説明する。なお、実施例１と同一の構成部品については、同一の符号を付けて説明を省略する。
【００５２】
（除湿再生器）
除湿再生器１４は、排気風路３５の室内空気が通過する断面のほぼ全面に亘って設けられ、冷媒が循環する熱伝導性の良い銅等の金属管と、金属管の熱伝導面積を広げるためのアルミニウム等の金属製のフィンより構成される。除湿再生器１４が凝縮器となる場合には、金属管および金属製フィンの外表面を流れる室内空気に対して高温高圧の気体状の冷媒より熱が移動して冷媒は液化し、この際の凝縮熱で室内空気は暖められる。暖められた室内空気により、デシカント型除湿器ユニット１２に吸着された水分の脱着が、効果的に行われ除湿機能の再生が行われる。蒸発器となる場合には、低温低圧の冷媒が蒸発する際の気化熱で室内空気より熱を奪う。除湿再生器１４は冷媒配管６３および冷媒配管６５と接続されている。
【００５３】
（加湿再生器）
加湿再生器１５は、給気風路２５の屋外空気が通過する断面のほぼ全面に亘って設けられ、冷媒が循環する熱伝導性の良い銅等の金属管と、金属管の熱伝導面積を広げるためのアルミニウム等の金属製のフィンより構成される。加湿再生器１５が凝縮器となる場合には、金属管および金属製フィンの外表面を流れる空気に対して高温高圧の気体状の冷媒より熱が移動し、冷媒は熱を奪われ液化し、この際の凝縮熱で屋外空気は暖められる。暖められた屋外空気により、デシカント型加湿器ユニット１３に吸着された水分の脱着が、効果的に行われ加湿機能が発揮される。
蒸発器となる場合には、低温低圧の冷媒が蒸発する場合の気化熱が室内空気より熱を奪う。加湿再生器１５は冷媒配管６４および冷媒配管６５と接続されている。
【００５４】
（冷媒圧縮機）
圧縮機５１は電気的またはエンジンで駆動して、回転式（ロータリー式）や往復式（レシプロ式）等の方式により気体になった冷媒を圧縮し、高温高圧の気体にして冷媒を液化しやすくしている。圧縮機５１は吐出側に冷媒配管６１が、吸入側に冷媒配管６２が接続されている。
【００５５】
（四方弁）
四方弁５２は冷凍サイクルの流路を切り換える装置であり、接続口５２ａ、接続口５２ｂ、接続口５２ｃ、接続口５２ｄの四つの接続口を有している。電気的に駆動させることにより接続口５２ａと接続口５２ｃが四方弁５２の内部で連通し、接続口５２ｂと接続口５２ｄが四方弁５２の内部で連通する組合せ、又は接続口５２ａと接続口５２ｄが四方弁５２の内部で連通し、接続口５２ｂと接続口５２ｃが四方弁５２の内部で連通する組合せが選択できる。接続口５２ａには冷媒配管６１が、接続口５２ｂには冷媒配管６２が、接続口５２ｃには冷媒配管６３が、接続口５２ｄには冷媒配管６４が接続されている。
【００５６】
（膨張弁）
膨張弁５３は、液化した冷媒を減圧させて気化し易くさせるもので、電気的に駆動させることで通過する冷媒流量の調整が可能となっている。膨張弁５３は冷媒配管６５の途中に設けられている。
【００５７】
（除湿運転時の構成）
除湿運転時について図１０を用いて説明する。除湿運転時には、給気送風機２６および排気送風機３６は駆動しており、図１０の上側になる給気風路２５中を左から右方向に屋外空気が流れ、図１０の下側になる排気風路３５中を右から左方向に室内空気が流れる。顕熱交換器ユニット１１およびデシカント型除湿器ユニット１２も同時に駆動し、顕熱交換器ユニット１１においては、空気を通過させる際に空気中の顕熱を蓄熱する又は放熱する吸熱部材を介して屋外空気と室内空気が保有する熱の移動が行われる。デシカント型除湿器ユニット１２において給気風路２５側では、空気を通過させる際に空気中の水分を吸着または脱着するデシカントにより屋外空気の水分が吸着され、排気風路３５側にデシカント型除湿器ユニット１２が回転して移動すると、デシカントの水分は除湿再生器１４により加熱された室内空気によって脱着が行われる。
【００５８】
除湿運転時の冷凍サイクルの構成及び動作について説明する。四方弁５２は内部において接続口５２ａと接続口５２ｃが連通し、接続口５２ｂと接続口５２ｄが連通された状態となっており。これにより、圧縮機５１を起点として、冷媒配管６１、四方弁５２（接続口５２ａと接続口５２ｃ）、冷媒配管６３、除湿再生器１４、冷媒配管６５および途中の膨張弁５３、加湿再生器１５、冷媒配管６４、四方弁５２（接続口５２ｄと接続口５２ｂ）、冷媒配管６２から圧縮機５１に戻る冷凍サイクルが形成されている。
【００５９】
この冷凍サイクルにより、圧縮機５１が駆動されること及び膨張弁５３の絞り開度を所定の開度とすることで、除湿再生器１４は凝縮器となり、加湿再生器１５は蒸発器となる。これにより、除湿再生器１４においては、圧縮機５１により圧縮された高温高圧の気化した冷媒が室内空気により熱を奪われ液化し、室内空気には熱が移動することで室内空気が暖められる。この暖められた室内空気により、デシカント型除湿器ユニット１２に吸着された水分はより脱着され易くなるので、デシカント型除湿器ユニット１２の除湿機能は再生される。加湿再生器１５は蒸発器となっているので、液化した冷媒が気化することで屋外空気の熱を奪い屋外空気は冷却され室内に送られる。
【００６０】
（加湿運転時の構成）
加湿運転時について図１０を用いて説明する。加湿運転時には、給気送風機２６および排気送風機３６は駆動しており、図１０の上側になる給気風路２５中を左から右方向に屋外空気が流れ、図１０の下側になる排気風路３５中を右から左方向に室内空気が流れる。顕熱交換器ユニット１１およびデシカント型加湿器ユニット１３も同時に駆動し、顕熱交換器ユニット１１においては、空気を通過させる際に空気中の顕熱を蓄熱する又は放熱する吸熱部材を介して屋外空気と室内空気が保有する熱の移動が行われる。デシカント型加湿器ユニット１３において排気風路３５側では、空気を通過させる際に空気中の水分を吸着または脱着するデシカントにより室内空気の水分が吸着され、給気風路２５側にデシカント型加湿器ユニット１３が回転して移動すると、デシカントの水分は加湿再生器１５により加熱された屋外空気によって脱着が行われる。
【００６１】
加湿運転時の冷凍サイクルの構成及び動作について説明する。四方弁５２は内部において接続口５２ａと接続口５２ｄが連通し、接続口５２ｂと接続口５２ｃが連通された状態となっており。これにより、圧縮機５１を起点として、冷媒配管６１、四方弁５２（接続口５２ａと接続口５２ｄ）、冷媒配管６４、加湿再生器１５、冷媒配管６５および途中の膨張弁５３、除湿再生器１４、冷媒配管６３、四方弁５２（接続口５２ｃと接続口５２ｂ）、冷媒配管６２から圧縮機５１に戻る冷凍サイクルが形成されている。
【００６２】
この冷凍サイクルにより、圧縮機５１が駆動されること及び膨張弁５３の絞り開度を所定の開度とすることで、加湿再生器１５は凝縮器となり、除湿再生器１４は蒸発器となる。これにより、加湿再生器１５においては、圧縮機５１により圧縮された高温高圧の気体状の冷媒が屋外空気により熱を奪われ液化し、この際の凝縮熱で屋外空気に熱が移動することで屋外空気が暖められる。この暖められた屋外空気により、デシカント型加湿器ユニット１３に吸着された水分はより脱着され易くなるので、デシカント型除湿器ユニット１３の加湿機能は再生される。除湿再生器１４は蒸発器となっているので、液化した冷媒が気化することで室内空気の熱を奪い室内空気は冷却される。
【００６３】
図１１は実施例３の床置型熱交換式換気扇３を一体の筐体に納めたものを図示したものである。図１０で説明した構成部品を上から、送風機部３Ａ、調湿器部３Ｂおよび熱源部３Ｃの３つの区画に分割して配置している。
【００６４】
送風機部３Ａは、外部の、外気ダクト接続口２３、給気ダクト接続口２７、還気ダクト接続口３３および排気ダクト接続口３７が設けられた天板、内部の外気エアーフィルター２４および還気エアーフィルター３４、並びに給気送風機２６および排気送風機３６、並びに給気風路２５および排気風路３５を形成する側板および仕切り板４Ｂ、４Ｃによりなる。
【００６５】
調湿器部３Ｂは、顕熱交換器ユニット１１、デシカント型除湿器ユニット１２、デシカント型加湿器ユニット１３、除湿再生器１４および加湿再生器１５を備え給気風路２５および排気風路３５を形成する側板および仕切り板４、４Ａ、４Ｄよりなる。
【００６６】
熱源部３Ｃは、圧縮機５１、四方弁５２、膨張弁５３および冷媒配管６１〜６５を備えこれらを覆う側板および底板よりなる。
【００６７】
なお、本実施例においては、ヒートポンプ式の再生器の熱源を内蔵する場合を例示しているが、温水式の再生器であっても同様に実施可能であり、この場合には熱源部３Ｃに液体燃料式温水加熱装置や気体燃料式温水加熱装置を組み込むことで、同様に実施可能となる。また、調湿器部３Ｂと熱源部３Ｃが完全に分離しているので、ヒートポンプ式の再生器の熱源、液体燃料式温水加熱装置または気体燃料式温水加熱装置を床置型熱交換式換気扇の外部に設ける場合も容易に実施可能となる。さらに、顕熱交換器ユニット、デシカント型除湿器ユニットと除湿再生器の組合せや、顕熱交換器ユニット、デシカント型加湿器ユニットと加湿再生器の組合せ等も同様に実施可能であり、実施例３を実施例２のようなダクト接続口が側面にある場合も同様に実施可能である。
【符号の説明】
【００６８】
１、２、３：床置型熱交換式換気扇
３Ａ：送風機部
３Ｂ：調湿器部
３Ｃ：熱源部
４、４Ａ、４Ｂ、４Ｃ、４Ｄ、５Ａ、５Ｂ、５Ｃ、：仕切り板
６、６ａ：天板
７、７ａ：正面側板
８：左側板
９：右側板
１０：背面側板
１１：顕熱交換器ユニット
１２：デシカント型除湿器ユニット
１３：デシカント型加湿器ユニット
１４：除湿再生器 
１５：加湿再生器
２０：制御基板
２１：外気口
２２：外気ダクト
２３：外気ダクト接続口
２４：外気エアーフィルター
２５：給気風路
２６：給気送風機
２７：給気ダクト接続口
２８：給気ダクト
２９：給気口
３０：部屋
３１：還気口
３２：還気ダクト
３３：還気ダクト接続口
３４：還気エアーフィルター
３５：排気風路
３６：排気送風機
３７：排気ダクト接続口
３８：排気ダクト
３９：排気口
４１、４３：突起部
４２、４４：切り欠き部
５１：圧縮機
５２：四方弁
５３：膨張弁
６１〜６５：冷媒配管
【図１】
0005530754.tif 000002
【図２】
0005530754.tif 000003
【図８】
0005530754.tif 000004
【図１０】
0005530754.tif 000005
【図３】
0005530754.tif 000006
【図４】
0005530754.tif 000007
【図５】
0005530754.tif 000008
【図６】
0005530754.tif 000009
【図７】
0005530754.tif 000010
【図９】
0005530754.tif 000011
【図１１】
0005530754.tif 000012